(57)【要約】      （修正有）【課題】広告または広報の目的で路上や各種行事場所などで人がバックパック式で肩に担いで移動しながら操縦可能な大型広報用人形を提供する。【解決手段】バックパック式大型広報用人形は、内部にチューブ式で空気を注入できるように一側にバッテリー１４によって作動する送風機１２が装着された人形本体１０と、人形本体を下方で直立可能に支持する支持台３０と、支持台によって直立・支持された人形本体を肩に担ぐためのバックパック手段４０とを含む。支持台は、テレスコープ構造に構成され、長さ調節可能であり、人形本体の臀部側の下部から人形本体の内側に挿入される。バックパック手段は、支持台を下方で支持すると同時に、人形操縦者の背に密着して設置される板部材である支持板４２と、支持板の左右両側に備えられるバックパック紐と、を含む。【選択図】図３
0003195509.tif 000002
【実用新案登録請求の範囲】
【請求項１】
内部にチューブ式で空気を注入できるように一側にバッテリーによって作動する送風機が装着された人形本体；
前記人形本体を下方で直立可能に支持する支持台；及び
前記支持台によって直立・支持された人形本体を肩に担ぐためのバックパック手段；を含むバックパック式大型広報用人形。
【請求項２】
前記支持台は、テレスコープ構造に構成され、長さ調節可能に構成されることを特徴とする、請求項１に記載のバックパック式大型広報用人形。
【請求項３】
前記支持台は、人形本体の臀部側の下部から人形本体の内側に挿入され、人形本体を直立・支持することを特徴とする、請求項１に記載のバックパック式大型広報用人形。
【請求項４】
前記支持台を人形本体の内側に挿入するために、前記人形本体の臀部側の下部には支持台挿入ホールが形成され、前記人形本体の内側には、前記支持台挿入ホールと連通した管状通路である支持台通過路が形成されたことを特徴とする、請求項３に記載のバックパック式大型広報用人形。
【請求項５】
前記バックパック手段は、支持台を下方で支持すると同時に、人形操縦者の背に密着して設置される板部材である支持板と、前記支持板の左右両側に備えられるバックパック紐と、を含むことを特徴とする、請求項１に記載のバックパック式大型広報用人形。
【請求項６】
前記バックパック手段は、支持台を下方で支持すると同時に、人形操縦者の背に密着して設置される板部材である支持板と、前記支持板と送風機を駆動するバッテリーを収納し、人形操縦者が背負うことができる肩紐を備えた収納用バックパックと、を含むことを特徴とする、請求項１に記載のバックパック式大型広報用人形。
【請求項７】
前記支持板には、一端が前記支持板に結合され、他端は前記支持台の下端部に結合されることによって前記支持台を支持板に据え置いて装着するものであって、垂直に配置された支持板の背面に垂直に固定・結合され、下端部が閉鎖された管体で構成される支持台マウントが備えられることを特徴とする、請求項５または６に記載のバックパック式大型広報用人形。
【請求項８】
前記支持板には、上端が閉鎖され、下端が開口された管体形態のスタンドマウントが備えられ、これに下方から挿入・設置されるスタンドがさらに備えられることを特徴とする、請求項５または６に記載のバックパック式大型広報用人形。
【請求項９】
前記収納用バックパックの背面には、広告用バナーを据え置くためのバナー据え置き具が備えられることを特徴とする、請求項６に記載のバックパック式大型広報用人形。
【請求項１０】
前記バナー据え置き具は、前面に備えられた貫通ピンが収納用バックパックの背面外側から内側に貫通した後、締結具によって締結・固定され、周辺には広告用バナーを支持するバナー支持台を挿入するための多数の挿入ホールが形成されたことを特徴とする、請求項９に記載のバックパック式大型広報用人形。
【考案の詳細な説明】
【技術分野】
【０００１】
本考案は、人形に関し、より詳細には、広告または広報の目的で路上や各種行事場などで人がバックパック式で肩に担いで移動しながら操縦可能な大型広報用人形に関する。 
【背景技術】
【０００２】
一般に、韓国内外のテーマパークでのパレード、各種公演チームの路上パレード、または特定商品の広告及び広報などに各種人形が多く使用されている。このような人形は、主に縫製式人形として構成されており、その中に人が直接入って移動しながら各種動作を取る形態のものがほとんどである。しかし、このような形態の人形は、その中に人が直接入って使用するので、人の背や体の大きさと類似する形に製作されるしかなく、その結果、注目度が低下するだけでなく、暑い夏には人形の中の温度が非常に高くなると共に、人形が非常に重いため操縦が容易でないなど、公演者の大変な労動と忍耐を要求するという短所を有する。
【０００３】
一方、外国の路上公演チームや韓国内の一部の公演チームのパレードにおいては、人より２倍以上大きい大型人形を使用して広告や広報を行う事例が度々あった。図１の（ａ）及び（ｂ）には、このような大型人形を用いたパレード場面が写真で提示される。図示したように、このような大型人形は、人の背より非常に高くて遠くからもよく見えるので注目度が高く、人々の注意を引きやすいので広告及び広報効果が大きいだけでなく、人々に好奇心と楽しさを与える遊戯具としての効果も非常に大きいものであると言える。
【０００４】
ところが、このような大型人形は、実際にはそれほど大衆化されていない実情にある。これは、人形の製作と維持補修が非常に難しく、且つ費用が多くかかるだけでなく、構造的にも、図１の（ｃ）に示したように、人形の根幹をなす骨格を鉄筋で形成した後、これに人形を着せる形態になるので重量が非常に大きいと共に、頭と胴体などが固定されているので、人がこれを担いで移動しながら操縦することが容易でないためである。
【０００５】
一方、大韓民国特許出願第１０―２００８―００９１７８０号には、空気注入式人形服が提示されているが、前記人形は、布地やビニール材質で構成されており、内部への空気注入によって重量が軽いという長所を有するが、これも、人が直接人形の中に入って操縦する形態であるので大型人形としての効果をもたらすことはできなく、スタンドを使用して固定据え置き型で使用する場合は移動及び調整が不便であるという短所を有する。  
【考案の概要】
【考案が解決しようとする課題】
【０００６】
本考案は、前記のような従来の広告用人形の短所を解消するためになされたものであって、注目度及び広告効果を高めると共に、重量を減少させることによって、移動性及び操縦性が向上した大型広報用人形を提供することを目的とする。
【課題を解決するための手段】
【０００７】
前記のような目的を達成するための本考案に係るバックパック式大型広報用人形は、内部にチューブ式で空気を注入できるように一側にバッテリーによって作動する送風機が装着された人形本体と、前記人形本体を下方で直立可能に支持する支持台と、前記支持台によって直立・支持された人形本体を肩に担ぐためのバックパック手段とを含む。
【０００８】
ここで、前記支持台は、テレスコープ構造に構成され、長さ調節可能に構成されることが好ましい。
【０００９】
そして、前記支持台は、人形本体の臀部側の下部から人形本体の内側に挿入されることによって人形本体を直立・支持し、前記支持台を人形本体の内側に挿入するために、前記人形本体の臀部側の下部には支持台挿入ホールが形成され、前記人形本体の内側には前記支持台挿入ホールと連通した管状通路である支持台通過路が形成されたことが好ましい。
【００１０】
そして、前記バックパック手段は、支持台を下方で支持すると同時に、人形操縦者の背に密着して設置される板部材である支持板と、前記支持板の左右両側に備えられるバックパック紐とを含むことが好ましい。
【００１１】
一方、前記バックパック手段は、支持台を下方で支持すると同時に、人形操縦者の背に密着して設置される板部材である支持板と、前記支持板と送風機を駆動するバッテリーを収納し、人形操縦者が背負うことができる肩紐を備えた収納用バックパックとを含むことが好ましい。
【００１２】
そして、前記支持板には、一端が前記支持板に結合され、他端は前記支持台の下端部に結合されることによって前記支持台を支持板に据え置いて装着するものであって、垂直に配置された支持板の背面に垂直に固定結合され、下端部が閉鎖された管体で構成される支持台マウントが備えられることが好ましい。
【００１３】
そして、前記支持板には、上端が閉鎖され、下端が開口された管体形態のスタンドマウントが備えられ、これに下方から挿入・設置されるスタンドがさらに備えられることが好ましい。
【００１４】
一方、前記収納用バックパックの背面には、広告用バナーを据え置くためのバナー据え置き具が備えられることが好ましく、前記バナー据え置き具は、前面に備えられた貫通ピンが収納用バックパックの背面の外側から内側に貫通した後、締結具によって締結固定され、周囲には広告用バナーを支持するバナー支持台を挿入するための多数の挿入ホールが形成されることが好ましい。
【考案の効果】
【００１５】
前記のような本考案によると、サイズの大型化によって注目度及び広告効果を増大させることができ、人形本体が空気注入式で構成されることによって、軽量化されると共に、移動及び操縦が便利な広告用大型人形を提供することができる。
【図面の簡単な説明】
【００１６】
【図１】従来の大型広報用人形の使用状態を示した写真である。
【図２】本考案に係るバックパック式大型広報用人形の使用状態図である。
【図３】本考案に係るバックパック式大型広報用人形の分解図である。
【図４】本考案に係るバックパック式大型広報用人形の胴体切開斜視図である。
【図５】本考案に係るバックパック式大型広報用人形の支持用バックパックに広告用バナーが据え置かれた状態を示した図である。
【図６】バナー据え置き具の結合構成を示した分解図である。
【考案を実施するための形態】
【００１７】
以下では、本考案に係るバックパック式大型広報用人形の構成及び作用について添付の図面と好ましい実施例を参照して詳細に説明する。
【００１８】
図２は、本考案に係るバックパック式大型広報用人形の使用状態図で、図３は、本考案に係るバックパック式大型広報用人形の分解図である。図２に示したように、本考案に係るバックパック式大型広報用人形は、操縦者が人形本体１０の両足の間に頭を入れ、人形を木馬に乗せるようにした状態で支持した後、人形の手を操縦するように構成されるものであって、図２及び図３に示したように、人形本体１０、操縦スティック２０、支持台３０、バックパック手段４０及びバナー据え置き具５０を含む。
【００１９】
人形本体１０は、人の背より約１．５倍ないし約２倍以上高いサイズに製作される人形であって、頭、腕、胴体及び脚を含む人の形態に構成することもでき、各種キャラクターや特定事物の形態に構成することもできる。このような人形本体１０は、布地、ビニールまたはゴムなどの合成樹脂材で構成され、チューブ式で内部に空気を吹き込めるように構成される。このようなエアチューブ式構成により、比較的サイズが大きい大型人形の場合も軽量に製作可能であり、製作及び維持補修が可能であり、移動性及び操作性が特に改善される。
【００２０】
前記人形本体１０の内部に空気を注入できるように、人形の一側、より好ましくは、人形の臀部側には送風機１２が装着されることが好ましい。前記送風機１２は、外部の空気を吸入して人形本体１０の内部に送風・注入する手段であって、人形本体１０の臀部の内側に内蔵されて固定設置され、吸入口が人形本体１０に形成された空気流入口１１に合わせられ、外部から空気を吸入できるように構成される。そして、前記送風機１２は、外部の別途のバッテリー１４と電線によって連結され、バッテリー１４から供給された電源によって作動し、別途のスイッチによって作動及び停止が制御されるように構成することができる。前記バッテリー１４は、後述するバックパック手段４０の収納用バックパック４８の内部に収納されることが好ましい。
【００２１】
一方、前記送風機１２は、空気を吸入して人形本体１０の内部に注入する形態に構成することもでき、内側のインペラが正逆回転可能に構成され、空気の注入及び注入された空気の排出も可能になるように構成することもできる。
【００２２】
前記送風機１２が一方向型、すなわち、空気の注入のみが可能な形態である場合は、人形本体１０を開閉可能なバッテリー１４を取り付けることによって、空気の排出及び人形本体１０の解体と収納を容易にすることができる。
【００２３】
操縦スティック２０は、図２及び図３に示したように、人形本体１０の手部分に連結される長い棒状部材であって、操縦者が人形を肩に支持した状態で手で把持して動かすことによって人形の動作を操縦可能にするものである。図面では、前記操縦スティック２０を手部分のみに備えているが、必要に応じて胴体や顔などに備えることもできる。また、前記操縦スティック２０は、操縦者の背や腕長さなどの身体条件に合わせて調節できるようにテレスコープ構造（望遠鏡構造）に構成されることが好ましい。
【００２４】
支持台３０は、前記人形本体１０を下方で直立可能に支持する構成要素であって、図２及び図３に示したように、長い棒状構造に構成されることが好ましく、人形本体１０のサイズに応じて高さ調節が可能で、且つ分離管理が容易になるようにテレスコープ構造に構成されることが好ましい。前記支持台３０は、左右両側にそれぞれ一つずつ一対に構成され、人形本体１０の下部、好ましくは、臀部側の下部から人形本体１０の内側に挿入されることによって人形本体１０を直立・支持する。
【００２５】
前記支持台３０を人形本体１０の内側に挿入するために、前記人形本体１０の下部、好ましくは臀部側の下部左右両側に支持台挿入ホール１６が形成され、前記人形本体１０の内側には前記支持台挿入ホール１６に連結される支持台通過路１８が垂直に配置される。前記支持台通過路１８は、支持台挿入ホール１６に挿入された支持台３０が人形本体１０の内部に注入されたエアの漏れなく人形本体１０の内側に挿入・設置されるように支持台３０が通過する通路として作用するものであって、支持台挿入ホール１６と連通し、人形本体１０の内部に注入されたエアと隔離した一種の管状通路として構成されることが好ましい。前記支持台通過路１８は、下端が支持台挿入ホール１６に連結され、他端は人形本体１０の内側最上端に結合され、支持台３０の上端がこれ以上通過できないように端部が閉鎖形成される。そして、前記支持台通過路１８には、人形本体１０の内側に注入されたエアが浸透されないように返し縫い部分にシームシーリング処理がなされることが好ましい。
【００２６】
図４は、人形本体１０の一側に形成されたバッテリー１４を開放し、人形本体１０の内側に設置された支持台通過路１８が見えるように示した図であって、前記支持台通過路１８は、人形本体１０を構成する布地、ビニールまたはゴムなどの合成樹脂材質で構成されることが好ましい。一方、前記支持台通過路１８は、人形本体１０の外側に露出するように設置されることも可能である。
【００２７】
このような構成を通じて、支持台３０が人形本体１０の下部、好ましくは、臀部側から支持台挿入ホール１６に挿入された後、支持台通過路１８を通過して垂直に設置されることによって、人形本体１０が支持台３０によって直立・支持されるようになる。
【００２８】
バックパック手段４０は、前記支持台３０によって直立・支持された人形本体１０を操縦者が肩に担ぐための手段であって、支持板４２、支持台マウント４４及び収納バックパック４８を含む。
【００２９】
前記支持板４２は、上述した支持台３０を下方で支持すると同時に、人形操縦者の背に密着して設置される板部材であって、鉄板やトタン板などの金属材で構成することもでき、木材質で構成することもできる。前記支持板４２は、ブロック形態に構成することもできるが、操縦者が背負うときの着用感を考慮した上で、垂直に延長形成された薄い板で構成することが好ましい。
【００３０】
前記支持板４２は、既に言及したように、人形本体１０を直立・支持する支持台３０を下方で支持する。このために、前記支持板４２には支持台マウント４４が備えられる。前記支持台マウント４４は、一端が前記支持板４２に結合され、他端は前記支持台３０の下端部に結合されることによって前記支持台３０を支持板４２に据え置いて装着するものであって、図３に示したように、垂直に配置された支持板４２の背面（操縦者の背に向かう面の後面）に垂直に固定結合される管体で構成されることが好ましい。前記支持台マウント４４は、ボルトなどの締結具５４によって支持板４２の背面に固定設置され、下端部は、支持台３０が通過されないように閉鎖される。前記支持台マウント４４の下端部は、支持台３０に固定結合することもでき、旋回可能に支持板４２とヒンジ結合することもできる。そして、前記支持台マウント４４は、支持台３０の数に相応するように左右両側に一対に構成されることが好ましい。
【００３１】
このような構成により、支持台マウント４４を支持板４２の背面に垂直に配置した状態で、支持台３０の下端を支持台マウント４４の上方から内側に簡単に挿入することによって支持台３０を支持台マウント４４に垂直に据え置けるようになる。
【００３２】
また、前記支持板４２の背面には、上端が閉鎖され、下端が開口された管体形態のスタンドマウント４５が備えられ、これに下方から挿入・設置されるスタンド４６がさらに備えられることが好ましい。そして、前記スタンド４６は、下部が三脚形態に構成され、地面に容易に支持されるように構成されることが好ましい。このような構成を通じて、人形をスタンド４６を用いて地面に下ろした状態で使用することも可能になる。
【００３３】
図面には示していないが、前記支持板４２の前面左右両側にはバックパック紐を備えることができる。このように、支持板４２にバックパック紐が形成されると、操縦者がバックパック紐を肩に掛けた状態で支持板４２をバックパック式で背負うことが可能になる。
【００３４】
しかし、このように支持台３０にバックパック紐を直接設置する場合、支持台３０、支持台マウント４４及びスタンドマウント４５が外部にそのまま露出するので美観上良くなく、人形本体１０に備えられた送風機１２駆動用のバッテリー１４の収納が難しいので、本考案では、収納用バックパック４８がさらに備えられることが好ましい。
【００３５】
前記収納用バックパック４８は、支持板４２とバッテリー１４を収納すると同時に、操縦者が背負うことによって人形本体１０を直立状態に維持可能にするための収納バッグであって、一般に肩に掛ける肩紐を有するバックパックを使用することもでき、本考案に係る支持板４２と支持台３０の収納及び設置に適した形に特殊製作したものを使用することもできる。
【００３６】
図３は、前記収納用バックパック４８として一般的なバックパックを使用した例を示している。図示したように、支持台マウント４４とスタンドマウント４５が結合された支持板４２は、垂直に立てられた状態でバッテリー１４と共に収納用バックパック４８の内部に収納される。このとき、収納用バックパック４８の背板側の内面に袋が形成された場合は、該当の袋の内部に支持板４２を収納することもでき、袋がない場合は、別途の紐や締結具５４で支持板４２をバックパックの内面に固定させることが好ましい。支持台マウント４４とスタンドマウント４５に支持台３０とスタンド４６をそれぞれ結合するために、収納用バックパック４８の上部及び下部には、支持台３０とスタンド４６を挿入可能な貫通孔が形成されることが好ましい。この貫通孔を介して支持台３０とスタンド４６を貫通させて収納用バックパック４８の内部に挿入した後、これらをそれぞれ支持台マウント４４とスタンドマウント４５に結合することができる。
【００３７】
このような収納用バックパック４８を用いて支持板４２を容易に収納可能なだけでなく、操縦者が肩に掛けてバックパック式で人形本体１０を担いだ状態で容易に移動可能であり、操縦者の手が自由になるので、操縦スティック２０による人形動作の操縦が容易になる。
【００３８】
一方、図６は、本考案の好ましい実施例であって、バックパック手段４０、より具体的には、収納用バックパック４８の背面に広告用バナー６０を設置した状態を示す図であって、図７は、前記広告用バナー６０を収納用バックパック４８に据え置くためのバナー据え置き具５０の結合構造を示す分解図である。
【００３９】
図示したように、前記バナー据え置き具５０は、概して円状のディスクまたは凸体に構成され、前面には収納用バックパック４８の背面の外側から内側に貫通する貫通ピン５２が備えられる。そして、収納用バックパック４８の背面を貫通した貫通ピン５２を固定するために、収納用バックパック４８の内側で前記貫通ピン５２にナットやリベットなどの締結具５４が嵌め込まれ、前記締結具５４のより堅固な固定のために、収納用バックパック４８の内側には補強鉄網５８が備えられることが好ましい。前記補強鉄網５８の穴を介して貫通ピン５２が貫通し、補強鉄網の間に締結具５４が支持されることによって、外側のバナー据え置き具５０を堅固に支持・固定することができる。貫通ピン５２の端部は、締結具５４の締結後、カッティングされることによって仕上げられる。
【００４０】
そして、前記バナー据え置き具５０の周辺には、バナー６０を支持するバナー支持台６２を挿入するための多数の挿入ホール５６が所定間隔を置いて形成される。このような構成により、広告用バナー６０のバナー支持台６２を上方、下方または側面から前記挿入ホール５６に挿入・固定することによって、収納用バックパック４８に広告用バナー６０を堅固に据え置き、移動中に効果的な広告が可能になる。
【００４１】
以上では、本考案に係る大型広報用人形の構成及び作用を好ましい実施例を参照して説明した。本考案の技術的思想を逸脱しない範囲内で、構成の単純な修正及び変更による多様な変形実施例が可能であることは当業者にとって明白であり、また、本考案の権利範囲は、このような実施例に限定されるものではなく、本考案の実施例と実質的に均等な範囲まで含むものであると言えるだろう。
【符号の説明】
【００４２】
１０：人形本体                  １２：送風機
１１：空気流入口                １４：バッテリー
１５：ジッパー                  １６：支持台挿入ホール
１８：支持台通過路              ２０：操縦スティック
３０：支持台                    ４０：バックパック手段
４２：支持板                    ４４：支持台マウント
４５：スタンドマウント          ４６：スタンド
４８：収納用バックパック        ５０：バナー据え置き具
５２：貫通ピン                  ５４：締結具
５６：挿入ホール                ５８：補強鉄網
６０：バナー                    ６２：バナー支持台
【図１】
0003195509.tif 000003
【図２】
0003195509.tif 000004
【図３】
0003195509.tif 000005
【図４】
0003195509.tif 000006
【図５】
0003195509.tif 000007
【図６】
0003195509.tif 000008